(57)【特許請求の範囲】
【請求項１】
光が直接入光されない角度となるように発光素子と受光素子を配置し組込んだ検煙ホルダーを有し、該検煙ホルダーの発光側に形成された穴部には発光素子を設けるとともに、該検煙ホルダーの発光側と対向した受光側に形成された穴部には、プリズムレンズを介在させて、受光素子を設けた構造とされた散乱光式煙感知器において、
前記発光側の穴部には、逃穴を下方に向けて形成し、
前記発光素子の表面に付着した結露によって、前記発光素子から放出され、下方に向かった光の反射光が、上記プリズムレンズに入射しないようにしている、散乱光式煙感知器。
【請求項２】
前記検煙ホルダーの内面には、中央部に仕切壁を形成し、多数の凹凸を形成した光トラップを外周から中央部の仕切壁に向かって漸次膨出するように階段状に形成している請求項１に記載の散乱光式煙感知器。
【請求項３】
前記受光側の穴部には、プリズムレンズの下側を覆い隠す遮光板を設けたことを特徴とする請求項１に記載の散乱光式煙感知器。
【請求項４】
前記検煙ホルダーの下方には、煙を流入させるトラップ構造の煙室が設けられ、この煙室の底面には、光反射を防止する多数の凹凸を形成した乱反射面を設けたことを特徴とする請求項１〜３のいずれかに記載の散乱光式煙感知器。
【発明の詳細な説明】
【０００１】
【産業上の利用分野】
本発明は、散乱光式煙感知器に関し、更に詳しくは散乱光式煙感知器の結露に起因する光路の変化によって生じる無用な反射光の発生を防止した散乱光式煙感知器に関するものである。
【０００２】
【従来の技術】
煙感知器として、従来より散乱光式煙感知器が知られている。
図４は、このような散乱光式煙感知器の検煙ホルダー部分の詳細を示した縦断面構造を表したもので、光が直接入光されない角度となるように発光素子１００と受光素子１０１を配置し組み込んだ検煙ホルダー１０２を有し、検煙ホルダー１０２の発光側に形成された穴部１０２ａには発光素子１００を設けるとともに、検煙ホルダー１０２の発光側と対向した受光側に形成された穴部１０２ｂには、プリズムレンズ１０３を介在させて、受光素子１０１を設けた構造となっている。
【０００３】
このような散乱光式煙感知器では、発光素子１００と受光素子１０１の光軸の交差した部分を検煙部Ｓとして構成しており、煙室に侵入した煙粒子がこの部分に侵入すると、散乱光がプリズムレンズ１０３を通じて受光素子１０１に入射され、このとき受光素子１０１が検知する光量が所定レベルまで増大することによって、火災を報知するようになっている。
【０００４】
【発明が解決しようとする課題】
しかしながら、このような散乱光式煙感知器では、室内の急激な温度変化や、施工中に息を吹きかけたりすると、発光素子や煙室の一部に水滴が付着して結露を生じ、そのために発光素子から放出された光の光路に変化を生じて、煙感知器内部で無用な反射光を生じてしまい、これがために受光素子では煙の侵入がないにもかかわらず誤動作するなどの問題を生じている。
【０００５】
本発明はこのような事実に鑑み、課題を解決するために提案されたもので、その目的とするところは結露によって無用な光路変化が生じた場合にも、煙感知器内部における反射を防止し、もって結露に対する誤発報防止効果の高い散乱光式煙感知器を提供することにある。
【０００６】
【課題を解決するための手段】
請求項１に記載の散乱光式煙感知器は、光が直接入光されない角度となるように発光素子と受光素子を配置し組込んだ検煙ホルダーを有し、該検煙ホルダーの発光側に形成された穴部には発光素子を設けるとともに、該検煙ホルダーの発光側と対向した受光側に形成された穴部には、プリズムレンズを介在させて、受光素子を設けた構造とされた散乱光式煙感知器において、発光側の穴部には、逃穴を下方に向けて形成しており、これによって、発光素子の表面に付着した結露によって、発光素子から放出され、穴部の下方に向かった光の反射光が、プリズムレンズに入射しないようにしている。
【０００７】
請求項２において提案された本発明は、検煙ホルダーの内面には、中央部に仕切壁を形成し、多数の凹凸を形成した光トラップを外周から中央部の仕切壁に向かって漸次膨出するように階段状に形成している。
【０００８】
更に、請求項３において提案された本発明は、受光側の穴部には、プリズムレンズの下側を覆い隠す遮光板を設けたことを特徴としている。
請求項４において提案された本発明は、請求項１〜３において提案された散乱光式煙感知器において、更に検煙ホルダーの下方には、煙を流入させるトラップ構造の煙室が設けられ、この煙室の底面には、光反射を防止する多数の凹凸を形成した乱反射面を設けたことを特徴としている。
【０００９】
【作用】
本発明に係る請求項１に記載の散乱光式煙感知器によれば、発光素子の表面に生じた結露によって光路が変化して、一部の光が発光素子を取り付けた穴部の下側に放出されても、その部分には逃穴が形成されているので、その部分で反射することはない。このため、煙感知器内部で無用な反射光が生じて受光素子に入射することが未然に防止される。
【００１１】
更に、請求項２に記載の散乱光式煙感知器によれば、検煙ホルダーの内面の中央部に仕切壁を形成し、外周から中央部の仕切壁に向かって漸次膨出するように多数の凹凸を形成した光トラップを設けているので、発光素子の表面に生じた結露によって光路が変化して、一部の光が天井面に放出されたとしても、その部分には多数の凹凸を形成した光トラップが設けられているので、その部分で反射することはない。このため、煙感知器内部で無用な反射光が生じて受光素子に入射することが未然に防止される。
【００１２】
また、請求項３に記載の散乱光式感知器によれば、プリズムレンズの下側に遮光板を設けているので、発光素子の表面に生じた結露によって光路が変化して、一部がプリズムレンズの下側に向かったとしても、その部分には遮光板が設けられているので、受光素子が無用な光まで煙として感知されることはない。
更に、請求項４に記載の散乱光式感知器によれば、煙室の底面には、光反射を防止する多数の凹凸を形成した乱反射面を設けているので、発光素子の表面に結露を生じて光路が変化しても、煙室の底面に向かう光を反射させて、受光素子に入射させることが未然に防止されるので、無用な反射によって誤動作を生じることが防止できる。
【００１３】
【実施例】
次に、図面を参照して本発明の実施例を説明する。
図１は請求項１に記載した本発明散乱光式煙感知器の一実施例を示した要部縦断面構造図である。
本発明の散乱光式煙感知器Ａは、図に見るように、ラビリンス構造の周壁（不図示）を形成した煙室２ａの上部に検煙ホルダー１を結合させている。
【００１４】
検煙ホルダー１は、発光側の穴部１１と受光側の穴部１２を対向させて形成しており、発光側の穴部には、ＬＥＤなどで構成された発光素子２を埋め込んで取付けている。また、受光側の穴部１２には、プリズムレンズ３を嵌入させ、プリズムレンズ３の出光側には、検煙ホルダー１の上方に設けた回路基板４に実装させたＩＣチップ状の受光素子５を対向させて設けており、発光素子２の光が直接に受光側のプリズムレンズ３に入射しないように、発光素子２の中心軸とプリズムレンズ３の入光側の中心軸を煙室２ａ内に向けて斜め下方で交差させ、検煙部Ｂを形成するようにしている。煙室２の内面には黒色塗料が施されている。
【００１５】
検煙ホルダー１の発光側に形成された穴部１１の下側には逃穴６を形成しており、受光側の穴部１２の下側には発光素子２から放出される無用の光が入射しないように遮光片１４を設けており、プリズムレンズ３を嵌入させた検煙ホルダー１の上部は開口され、その開口１３は、感知器の制御回路を構成する回路基板４に実装されたＩＣチップ状の受光素子５に臨ませている。
【００１６】
煙室２ａの内面となる検煙ホルダー１の内面は、発光素子２からの光が天井面に向かわず検煙部Ｂに向うように、中央に仕切壁１ａ，１ａを突出させ、その周囲は外方に向かうに連れて、天井面が高くなる傾斜面１ｂを形成している。
このような構造の煙感知器では、発光素子２の表面に結露を生じたため、発光素子２から放出される光の光路が発光側の穴部１１の下方に向かったとしても、逃穴６があるため、そこでは光が反射せず、したがってその反射光がプリズムレンズ３に入射させないようにできる。
【００１７】
図２は請求項２に記載した本発明散乱光式煙感知器の要部縦断面構造図である。
この煙感知器の構造的特徴は、発光素子２を取付けた発光側の穴部１１の下方に、多数の凹凸７ａを形成した光トラップ７を設けた点にあり、請求項１に記載された逃穴６と同様に、結露によって光路が変化したため、一部の光が穴部１１の下側に向かったときにも反射を有効に防止できるものである。
【００１８】
図３は請求項１の特徴に、請求項３，４，５の特徴を加えた煙感知器の縦断面構造を示している。
すなわち、検煙ホルダー１の発光側に形成され、発光素子２を取り付けた穴部１１の下側には、発光素子２の表面に付着した結露によって生じる光の反射を防止する逃穴６を形成し、検煙ホルダー１の内面には、中央部に仕切壁１ａ，１ａを突出させ、その周囲には、外周から中央部に向かって漸次膨出するように多数の凹凸８ａを階段状に形成した光トラップ８を形成している。
また、プリズムレンズ３の入光側の下方には、発光素子２から放出された光や煙室２ａ内で反射した光が入射しないように遮光片１４を設け、更に煙室２ａの底面には、多数の凹凸９ａを形成し乱反射面９を形成している。
【００１９】
【発明の効果】
以上の説明から明かなように本発明に係る請求項１に記載の散乱光式煙感知器によれば、発光素子２の表面に生じた結露によって、散乱した光が光路をそれて反射して受光素子５に入ることはない。
また、請求項２に記載の散乱光式煙感知器によれば、仕切壁１ａに反射した光は光トラップ８の凹凸８ａで乱反射し減衰するので受光素子５に入ることはない。
【００２０】
更に、請求項３に記載の散乱光式煙感知器によれば、プリズムレンズ３には光路を通過する光のみを受けて受光素子５に屈折させているので、結露によって散乱して光を受光することはない。
また、請求項４に記載の散乱光式煙感知器によれば、煙室２ａの底部に光が散乱しても乱反射面９の凹凸９ａに乱反射し減衰するので受光素子５に入ることはない。
【図面の簡単な説明】
【図１】本発明に係る散乱光式煙感知器の構造（請求項１）を示す概略図である。
【図２】本発明に係る散乱光式煙感知器の要部構造（請求項２）を示す縦断面構造図である。
【図３】本発明の他の構造例を示す概略図（請求項３，４，５）である。
【図４】従来の散乱光式煙感知器の構造を示す概略縦断面構造図である。
【符号の説明】
Ａ  散乱光式煙感知器
Ｂ  検煙部
１  検煙ホルダー
１ａ  仕切壁
２  発光素子
４  プリズムレンズ
５  受光素子
６  逃穴
７、８  光トラップ
１４  遮光板
【図１】
0003541959.tif 000002
【図２】
0003541959.tif 000003
【図３】
0003541959.tif 000004
【図４】
0003541959.tif 000005